(57)【要約】 【課題】優れた捕虫効率と美的外観を有する捕虫器を提供する。【解決手段】虫類を誘引する光線を放射するＬＥＤ光源部と、光源部を遮蔽する光源カバーと、捕虫器を設置位置に固定するための設置固定部材と、光源カバーを設置固定部材に係合させるための光源カバー固定部材とを有する捕虫器であって、光源カバーは紙を素材として上方が開口し下方が閉鎖された形状をなし、ＬＥＤ光源部は外部より直接視認できないように光源カバーの内部に収容され、ＬＥＤ光線に誘引された虫類が光源カバーの上方開口部から侵入して光源カバー内に捕獲される捕虫器。【選択図】図１２
2012239443.tif 000002
【特許請求の範囲】
【請求項１】
虫類を誘引する光線を放射するＬＥＤ光源部と、光源部を遮蔽する光源カバーと、捕虫器を設置位置に固定するための設置固定部材と、光源カバーを設置固定部材に係合させるための光源カバー固定部材とを有する捕虫器であって、光源カバーは上方が開口し下方が閉鎖された形状をなし、ＬＥＤ光源部は外部より直接視認できないように光源カバーの内部に収容され、ＬＥＤ光線に誘引された虫類が光源カバーの上方開口部から侵入して光源カバー内に捕獲されることを特徴とする捕虫器。
【請求項２】
ＬＥＤ光源部は複数個のＬＥＤランプを有し、ＬＥＤランプは開口部に向け光線を放射する請求項１に記載の捕虫器。
【請求項３】
光源カバーが紙またはプラスチックを素材としている請求項１または２に記載の捕虫器。
【請求項４】
光源カバーが、一枚の紙またはプラスチック製のシートから組み立てられる、あるいは成形加工されたプラスチック製である請求項１から３のいずれかに記載の捕虫器。
【請求項５】
光源カバー固定部材と設置固定部材との間に光源カバーを挟み込むことにより光源カバーを設置固定部材に係合する請求項１から４のいずれかに記載の捕虫器。
【請求項６】
光源カバーが、光源カバー固定部材により設置固定部材に着脱自在に設置されている請求項1から５のいずれかに記載の捕虫器。
【請求項７】
設置固定部材と光源カバー固定部材が密着した状態になると捕虫器が作動する請求項１から６のいずれかに記載の捕虫器。
【請求項８】
光源カバーの内面には虫の動きを制限するための粘着面を有する請求項１から７のいずれかに記載の捕虫器。
【請求項９】
光源カバーは、無地または、絵画、写真、模様、色彩のいずれか1種以上による装飾が施されている請求項１から８のいずれかに記載の捕虫器。
【請求項１０】
ＬＥＤ光源部には制御部を配置して、周囲の明暗に対応してＬＥＤの点灯条件を変更することが可能である請求項１から９のいずれかに記載の捕虫器。
【発明の詳細な説明】
【技術分野】
【０００１】
本発明は室内に飛来する昆虫などを捕獲する捕虫器に係るものであり、食品製造工場や集客を目的とした店舗などにおいて室内に飛来した害虫を捕獲することを目的とするものである。本発明は、光に誘引される虫の習性を利用した捕虫効率に優れた捕虫器を提供するものであり、さらに、美的外観に優れ、室内に捕虫器が設置してあることを意識させることがない、捕獲した虫が露骨に目に見えることがない、また、捕虫器が照射する光が目に入るなどにより人に不快感を与えることがない捕虫器を提供するものである。
【背景技術】
【０００２】
従来、食品店や飲食店、食品加工工場には捕虫装置が設置されていることが多い。これは、各種食品の製造ラインでは昆虫が原因の異物混入事故、レストランや商店では昆虫が飛び交うことによる不快感や不衛生感、温室栽培のハウスでは食害など飛翔性昆虫による様々な問題が起こることによる。そのため、これらの設備において虫を捕獲することは必須であり、薬剤の噴霧、電撃殺虫器、粘着捕虫器などの各種の防虫対策が取られているが、対策自体がクレームにつながるものもあり、安全性、メンテナンス、美的外観など改善すべきことが多く残されている。
【０００３】
従来用いられている捕虫器はいくつかの捕虫原理に分類される。例えば、（１）粘着剤で粘着捕獲する方法、（２）高電圧線で電殺捕獲する方法、（３）吸引ファンで吸引捕獲する方法、（４）液剤で捕獲する方法、（５）殺虫性物質の蒸散で致死捕獲する方法、などが知られているが、昆虫類を捕虫器にまで誘引するには光を用いているものが多い。しかしながら、それぞれの方法には長所短所があり、特に衛生面、美的外観、メンテナンス面からの要請を満たすものは少ない。
【０００４】
捕虫灯は、虫が誘引される光を出射する光源を備え特に飛翔昆虫を誘引対象としている。虫は、約３６０〜３７０ｎｍの波長の光である紫外線に誘引されるものが多い。このため、誘虫ランプは、紫外線を含有した光を照射するように構成されその照射光は紫外線と青色光とを主要成分として含んでいる。このため、例えば、飲食店や食品小売店などの清潔さが求められる店舗において捕虫器を設置した場合に、顧客が捕虫器から天井や壁などに照射される青色光により捕虫器の設置に気付くことがある。捕虫器の設置は、虫の存在を暗示しているので顧客は捕虫器に気付いたときに不潔な悪印象を抱くことがある。しかしながら、捕虫器を設置する以外には飛翔昆虫に対する有効な対策を講じることができないので、捕虫器には捕虫性能に加え捕虫器自体の隠匿性または捕虫器との認識をさせない構造が求められていた。
【０００５】
光で誘引される昆虫としては、例えば、クロバエ、ハナバエ、カ、ショウジョウバエ、アブ、ユスリカ、ガガンボ、メイガ、シャクガ、ヤガ、ヒトリガ、スズメガ、シャチホコガ、蝶類、カゲロウ類、カメムシ、ヨコバイ、トンボ、コガネムシ、テントウムシ、ゴミムシ、ゲンゴロウ、コメツキムシ、ゾウムシ、カミキリムシなどがあげられ、夜間に飲食店や食品工場に飛来するこれらの昆虫類のほとんどは光を利用した捕虫器により捕獲することが可能である。また、例えば、ハエ類は光に限らず、臭いにより誘引される習性もあり、昼間に匂いに誘引されて飛来し建物内に侵入することもあるが、これらの習性を有する虫類も光を利用した捕虫器により建物内で捕獲することが可能である。
【０００６】
次に、光により昆虫を誘引する捕虫器の従来例をいくつか挙げる。
捕虫器の設置を人に認知され難くする捕虫器としては、誘虫ランプと、この誘虫ランプを覆い、誘虫ランプから照射された光が通る光学フィルタと、この誘虫ランプにより誘引された虫を捕獲する捕虫シートとを備えるものであって、光学フィルタが約３６０ｎｍ以上３７０ｎｍ以下の波長の光の最大透過率が略６０％以上で、且つ、略４００ｎｍ以上４５０ｎｍ以下の波長の光、すなわち青色光の最大透過率が１０％以下の特性を有する捕虫器が提案されている。この光学フィルタより、誘虫ランプ特有の青色光の光量を低減できるので、青色光が人に目視され難くすることができる。（特許文献１、特許文献２）
また、誘虫ランプにより衛生害虫を効果的に引き寄せ、しかも、その引き寄せ効果を減殺することなく、誘虫ランプ特有の光色を緩和した捕虫装置として、外面の一部が誘引口として開口したランプカバー内に、誘虫ランプと共に照明ランプを配設する。誘虫ランプによってランプカバーの誘引口からカバー内に誘引され虫を捕獲するべく、ランプカバー内に捕虫手段を設け、照明ランプの併用により、誘虫ランプ特有の光色を緩和する捕虫器が提案されている（特許文献３）。
【０００７】
また、捕虫器において、器具周辺の環境を汚すことなく虫を静かに捕獲すること、また、大量の虫を捕獲しても器具の捕虫効率が低下することがないようにすることが必要である。こうした捕虫器としては、捕虫器は、虫を誘引する第１の誘引部としての誘虫光源１と、誘虫光源に誘引された虫を捕獲する捕獲部と、捕獲部の入口に設けられこの入口から捕獲部の内部に向かう方向に傾斜して植毛された植毛部と、誘虫光源に誘引された虫を、植毛部を通して捕獲部の内部へ誘引する第２の誘引部としての誘虫光源とを備える。誘虫光源２近寄ってきた虫は、誘虫光源２から出射された光により誘引され、植毛部に侵入する。植毛部に侵入した虫は、捕獲部の内部に向かって植毛部を移動し、植毛部を通り抜けると捕獲部に捕獲され虫は外部に脱出できなくなり餌や水分の不足によって死滅する。（特許文献４）
【０００８】
誘虫効果を高めた誘虫装置および捕虫器としては、誘虫装置と粘着性の捕虫シートを用いた捕虫装置とで構成された捕虫器であって、誘虫装置は、波長が３００ｎｍ以上且つ４００ｎｍ以下の紫外光を照射する誘虫用のＬＥＤと、下面が開口し、内部にＬＥＤを収納する誘虫装置本体と、誘虫装置本体の開口部に取着される透光性のカバーと、このカバーの一部に形成され、ＬＥＤからの紫外光を受けて活性酸素を発生し、有機物の結合を分解することによって二酸化炭素を発生させる光触媒膜とを備えている捕虫器が提案されている（特許文献５）。
【先行技術文献】
【特許文献】
【０００９】
【特許文献１】特開２００８−１５４５００号公報
【特許文献２】特開２００８−１５４４９９号公報
【特許文献３】特開２００６−１４９２５２号公報
【特許文献４】特開２００９−２９６９８７号公報
【特許文献５】特開２００７−７４９０８号公報
【発明の概要】
【発明が解決しようとする課題】
【００１０】
従来の光で昆虫を誘引する捕虫器においては、誘引光線の放射方式や、捕獲器入口の構造などがより雑化してそれらを改善することには技術的限界が見えてきていた。そこで、簡単な構造によりさらに捕虫率を向上させる技術的改善は達成することが困難なものとされてきた。本発明は、こうした従来技術に鑑みて鋭意研究を積み重ねることにより達成されたものであり、捕虫器を、虫を誘引するためのＬＥＤ光源とその制御部が設置された光源部と、光源を外部より目視できないようにする紙製の光源カバーと、光源カバーを設置固定部材に係止するための光源カバー固定部材とを有し、着脱可能とした光源カバー内に捕獲した虫類を貯留する形式の捕虫器を提供するものである。本発明の捕虫器は、簡便な構造を採用することにより捕虫率を向上することを目的とし、上方に開口し下方に向かって狭くなる閉鎖された底部を有する光源カバーにより十分な捕虫率が得られることを見出したことに基づく。
【００１１】
本発明は、虫を誘引する光源をＬＥＤとすることにより光源からの発熱量を低減し、光源カバーの温度上昇を抑えることにより光源カバーの素材を紙製とすることを目的とするものである。光源の周囲を紙製のカバーで囲むこと、ＬＥＤランプの指向性を利用して上方に光を照射することにより光源が直接目視されることがない。さらに、紙またはプラスチック製の光源カバーの形状、構造は他の材質と比較して自由に形成することができるため、表面へ絵画、写真、模様などを設けること、形状に変化を持たせることが容易となり美的感覚を満足させるものとすることができる。
【００１２】
また、本発明の目的は、清掃や捕獲された虫の回収に光源カバーを定期的に交換するにあたり手間がかからず、消耗品や人件費などの維持管理コストの大幅な削減を可能とする捕虫器であって、壁掛け式や天井吊り下げ式などができる設置場所を選ぶことのない捕虫器を提供することを目的とする。
【課題を解決するための手段】
【００１３】
（１）虫類を誘引する光線を放射するＬＥＤ光源部と、光源部を遮蔽する光源カバーと、捕虫器を設置位置に固定するための設置固定部材と、光源カバーを設置固定部材に係合させるための光源カバー固定部材とを有する捕虫器であって、光源カバーは上方が開口し下方が閉鎖された形状をなし、ＬＥＤ光源部は外部より直接視認できないように光源カバーの内部に収容され、ＬＥＤ光線に誘引された虫類が光源カバーの上方開口部から侵入して光源カバー内に捕獲されることを特徴とする捕虫器。
（２）ＬＥＤ光源部は複数個のＬＥＤランプを有し、ＬＥＤランプは開口部に向け光線を放射する１に記載の捕虫器。
（３）光源カバーが紙またはプラスチックを素材としている１または２に記載の捕虫器。
（４）光源カバーが、一枚の紙またはプラスチック製のシートから組み立てられる、あるいは成形加工されたプラスチック製である１から３のいずれかに記載の捕虫器。
（５）光源カバー固定部材と設置固定部材との間に光源カバーを挟み込むことにより光源カバーを設置固定部材に係合する１から４のいずれかに記載の捕虫器。
（６）光源カバーが、光源カバー固定部材により設置固定部材に着脱自在に設置されている1から５のいずれかに記載の捕虫器。
（７）設置固定部材と光源カバー固定部材が密着した状態になると捕虫器が作動する１から６のいずれかに記載の捕虫器。
（８）光源カバーの内面には虫の動きを制限するための粘着面を有する１から７のいずれかに記載の捕虫器。
（９）光源カバーは、無地または、絵画、写真、模様、色彩のいずれか1種以上による装飾が施されている１から８のいずれかに記載の捕虫器。
（１０）ＬＥＤ光源部には制御部を配置して、周囲の明暗に対応してＬＥＤの点灯条件を変更することが可能である１から９のいずれかに記載の捕虫器。
【発明の効果】
【００１４】
本発明は以下の効果を奏するものである。
（１）虫を誘引する光源をＬＥＤとすることにより光源からの発熱量を低減し、光源カバーの温度上昇を抑えることにより光源カバーを紙やプラスチック製とすることを可能とする。
（２）光源が直接目視されることがない。
（３）紙製の光源カバーの形状、構造は他の材質と比較して自由に形成することが可能となり、その表面は、無地あるいは、絵画、写真、模様などを設けることにより多様化することが可能となり捕虫器を装飾品として認識させることができ、捕虫器としての存在を意識させることがない。
（４）ＬＥＤ光源の発光特性を制御することにより捕虫効果を高めることができる。
（５）メンテナンスも従来の粘着捕虫器のような清掃や捕獲された虫の回収の手間がかからず、消耗品や人件費などの維持管理コストの大幅な削減を可能となる。
【図面の簡単な説明】
【００１５】
【図１】本発明の捕虫器の構成部品であるＬＥＤ光源、ＬＥＤ光源制御部、設置固定部材、光源カバー固定部材を示す。
【図２】本発明の捕虫器を室内の壁に設置した状態を示す。
【図３】ＬＥＤ光源のＬＥＤランプの配置を示す。
【図４】設置固定部材にＬＥＤ光源および制御部を設置した状態を示す。
【図５】光源カバーの外観を示す。
【図６】他の形状の光源カバーの外観を示す。
【図７】図６に示した光源カバーの平面図を示す。
【図８】図５に示した光源カバーの平面図を示す。
【図９】表面に模様を配し、対応する裏面には粘着面（図示なし）を設けた光源カバーを示す。
【図１０】光源カバー固定部材およびそれに備えられた固定用の係止具（ピン）、位置合せ具（孔）を示す。
【図１１】光源カバー固定部材に光源カバーを取り付けた状態を示す。
【図１２】斜め上から見た本発明の捕虫器の外観を示す。
【図１３】真上から見た本発明の捕虫器の外観を示す。
【図１４】角度を変えて見た本発明の捕虫器の外観を示す。
【図１５】他の光源カバーを設置した本発明の捕虫器の上方からの外観を示す。
【図１６】発熱試験の結果を示す。
【発明を実施するための形態】
【００１６】
本発明は、（１）虫類を誘引する光線を放射するＬＥＤ光源部と、（２）光源部を遮蔽する光源カバーと、（３）捕虫器を設置位置に固定するための設置固定部材と、（４）光源カバーを固定部材に係合するための光源カバー固定部材とを有する捕虫器であって、光源カバーは上方が開口し下方が閉鎖された形状をなした紙またはプラスチック製であり、ＬＥＤ光源部は外部より直接視認できないように光源カバーの内部に収容され、誘引された虫類が光源カバーの上方開口部から侵入して光源カバー内に捕獲される捕虫器に関する。屋内に設置した本捕虫器が視野に入っても捕虫器であることを感じさせることがなく、人に室内装飾品であるとの感覚を与えることが可能な意匠性に優れた捕虫器を提供するものである。また、本発明の捕虫器は虫類の捕獲効果にも優れている。
【００１７】
集客を目的とした店舗などの室内に設置して虫を捕獲する捕虫器は、特に、レストランなどの飲食物を販売ないし提供する店舗においては必需品である。しかしながら、捕虫器が設置してあることが顧客に認識されると、虫の存在が推察され、店舗に対する不潔感、嫌悪感などを呼び起こすことにもなりかねない。また、光で虫を誘引する形式の捕虫器では、誘引する光が捕虫器から漏れて人の目に入ると、通常では感知しない波長の光による刺激を人に与えることとなり不快感を与えるとか、その特殊な光により捕虫器の設置が認識されることとなることが多い。したがって、捕虫器には、捕虫効率が良好であることのみならず、人に不快感を与えないこと、できれば捕虫器の存在を認識されにくいことが不可欠となる。さらには、室内装飾品として意匠性に優れている側面を有することが望まれる。
【００１８】
本発明の捕虫器は上記の問題点を解決するものであり、例えば、（１）ＬＥＤ光源部、（２）光源カバー、（３）設置固定部材、（４）光源カバー固定部材、とから構成されているが、必要に応じて、（５）明暗センサー、（６）ＬＥＤランプの制御部、（７）光源カバー固定部材が設置固定部材に密着した状態になったことを感知して捕虫器を作動させる感知部材、を設なえることができる。本発明の捕虫器の一例は図１に示すように、設置固定部材２にはＬＥＤ光源部１とその制御部１２が配設され、光源カバー固定部材３ならびに電源コードを有している。光源カバー固定部材３には光源カバー４が取り付けられて設置固定部材２と一体化される。すべての部品が組み立てられた後に室内に設置された本発明の捕虫器の外観の一例を図２に示す。図２では左端部周辺の壁に設置されて四角錐形状の捕虫器と電源コードが示されている。
次にこれらの部材について説明する。
【００１９】
[ＬＥＤ光源部]
これまでの捕虫器は光源に紫外線を発する蛍光灯ランプを使用していることが多いが、本発明の捕虫器では光源にＬＥＤランプを使用している。光源として虫を誘引しやすい特定の波長（色）の光だけを発するＬＥＤを使用することができるため効率良く捕虫することができる。ＬＥＤランプは発する光線が開口部から上方空間に照射されるように上向きに配置されている。ＬＥＤランプの指向特性は約１５°であるため、上方に照射された光線が光源カバーを通して目視されることはほとんどない。また、ＬＥＤランプはこれまでのランプ類とは異なり、寿命が長いため長期間の使用が可能となるなどの利点が多い。さらに、ＬＥＤランプは発熱しにくい特徴を有することから器具の一部に紙やプラスチックなどの熱に弱い素材を使用することが可能となり、これらを構成部品の素材とすることにより、簡便な加工性と多様な装飾性を利用することを可能とした。
【００２０】
本発明で使用するＬＥＤランプは、虫を誘引する波長の光を照射することができるものであれば如何なるものでも使用することはできるが、特定の波長を照射するＬＥＤランプを入手することができるという特徴を利用して、特に、虫の種類によりＬＥＤランプの照射する光の波長を選択することによりより一層の捕虫効率を達成することができる。
例えば、３７５ｎｍ、４００ｎｍ、５７４ｎｍ、３６５ｎｍの光を照射することができるＬＥＤランプが組み合わされて使用される。３７５ｎｍの光は紫外線に該当し、多種多様な虫を誘引する作用を有し、４００ｎｍの光は紫色に該当し、アザミウマ類を誘引する作用を有し、また５７４ｎｍの光は黄色に該当しタネバエ、ハモグリバエなどのハエ類やコナジラミ類を誘引する作用を有する。これらの波長の光を組み合わせることにより効率的な捕虫効果を発揮することができる。また、ＬＥＤランプ１１は、例えば、１２個の３７５ｎｍランプ、１８個の４００ｎｍランプ、および２０個の５７４ｎｍランプを組み合わせて図３に示すように配列する。それぞれの波長のＬＥＤランプを混合するように配列することにより虫の誘引効率を向上することができる。また、捕虫器から発せられる光を人が捕虫器としてではなく装飾体として認識させるには、柔らかい可視光線を捕虫器から出すようにすることが好ましい。
【００２１】
ＬＥＤランプによる機器の発熱を検討したところ、ＬＥＤランプを使用することにより蛍光灯を使用するよりも機器の温度を約１３℃低下させることができることが判明した。例えば、蛍光灯では２０ｍｍ離れた地点での温度は、気温が４０℃の場合には、約６０℃の高温になることが予想されるため蛍光灯の光が当たる壁材などでは高温による変質、変形、異臭の発生などの恐れがあり、熱に弱い紙やプラスチック類を素材とした部材の使用は困難である。しかしながら、ＬＥＤランプを使用すると温度は約４８℃に留まり、ランプの発熱による異常は発生しないものと予想される。
【００２２】
[設置固定部材]
設置固定部材２には、捕虫器本体を設置個所、例えば壁面に固定するための固定具２３と、光源カバー固定部材３を係止するための係止具２１が設けられている。固定具２３は捕虫器を室内の壁、柱などに設置するためのものであり、例えば、ネジ止めして固定するための孔、引っかけピン、磁石などを利用した固定具を利用して設置される。また、光源カバー固定部材３を係止するための係止具２１は、光源カバー固定部材３の係止具３１を通し固定するための孔とすることができるが、その構造は光源カバー固定部材３を係止することができるものであればいずれの構造をしていても差支えない。例えば、設置固定部材２には、木ネジなどでネジ止めして固定するための固定具（孔）２３および、光源カバー固定部材３の係止具（ピン）３１を通し固定するための係止具（孔）２１が設けられている。係止具（ピン）３１を係止具（孔）２１の孔に通すことにより光源カバー４の取り付け位置を正しく規制できる。
また、設置固定部材２には、光源カバー４を取り付けた光源カバー固定部材３を設置固定部材２に確実に位置決めして固定し、地震などの揺れによる落下を防止するために他の固定具を設置することができる。例えば、光源カバー固定部材３にはギボシ形状の孔からなる位置合せ雌具３２を複数個設け、これを設置固定部材２に設けたピン状（ギボシ形状）の位置合せ雄具２２に係合させる。
設置固定部材２の形状は特に限定されず、捕虫器全体の形状、構造に応じて様々な形状が利用できる、例えば、三角形、台形形、長方形などの四角形、円形、楕円形など例示される。図１または図４に示すように三角形状の板状とすると様々な形状の光源カバー４に対応できる。
【００２３】
[光源カバー]
光源カバー４は、ＬＥＤ光源を目立たないように目隠しすると同時に、捕獲された虫を貯留する容器となる。光源カバー４は上方が外部に開口し下方は閉鎖された形状を有し、ＬＥＤにより誘引された虫は上部の開口から侵入して光源カバー４の内部に留まる。また、虫は光源カバーの内面にある粘着面に捕らえられて動けなくなる。
光源カバー４の形状は、上方には開口を有し下方が閉鎖されている空間を形成すればよくその形状、構造は限定されない。例えば、図５および図６に示すような上部開口から下部の閉鎖部分にかけて次第に狭くなるように傾斜した外観とすることが好ましい。傾斜面を虫が落下して底部に集まるか、粘着面に捕らえられることとなる。具体的には、側面部が丸く傾斜しているものや側面部が直線的に傾斜しているもの、底部が横に広がっているもの、底部が尖がっているものなど様々な形状の組合せが採用される。その素材としては熱には弱い紙やプラスチック類を使用することができる。紙などの素材を使用することができることにより、自由な変形や成形性が保持され、さらに、色彩を付与したり、印刷を施すことにより人の目には捕虫器であることを感じさせないで装飾品を設置しているような感覚を醸し出すことができる。
【００２４】
光源カバー４は、通常は一枚の紙シートから切り出して折畳むことにより所定の大きさや形状を有する形に組み立てて使用することが好ましく、例えば、図５や図６に記載の形状とするには、図７や図８に記載の展開図に示した紙シートを光源カバー固定部材に係止することにより光源カバーが形成される。光源カバー４には、光源カバー固定部材３に光源カバー係止具（ピン）３１に通して固定するための孔４４が設けられている。また、光源カバー４はプラスチックの一体成型によっても作製される。
【００２５】
光源カバー４の内面には粘着剤を塗布しておき、内部空間に飛来した虫の動きを制限することが好ましい。この粘着剤の粘着力は、虫の動きを完全に封じ込めるほど強力である必要はなく粘着剤に接触した虫が自由に飛び回れない程度にする粘着力で十分である。粘着剤としては、ゴムや樹脂をその成分とする材料が使用できる。光源カバー４は内側には虫を捕らえる粘着面、外側は様々な形状と色、または印刷により様々な絵、模様などを施されていることが好ましい。
粘着剤の内側の粘着剤に虫が大量に付着すると粘着面としての効果が低減されるので定期的に新しいものに交換することが好ましく、捕獲された虫は光源カバー４と共に廃棄される。光源カバー４を交換する際には、カバー４の形状、表面に施された色、絵、模様などを変えることによって店舗の雰囲気を変える装飾品としての役割を担うことができる、また、図９に示すように季節に応じた花模様とするとか、他に色や形、絵などにより季節を表現することも可能となる。
【００２６】
[光源カバー固定部材]
光源カバー固定部材３は、光源カバー４を設置固定部材２に取り付けるための部材であって、光源カバー４と設置固定部材２の双方に係合する部材３１，３２を有している。光源カバー固定部材３の形状は光源カバー４と設置固定部材２の形状に応じて適宜決定されるものであるが、例えば、図１０に示すような三角形状であることができる。光源カバー固定部材３は、例えば、端縁に沿って光源カバー固定用の係止具３１が複数設けられ、この係止具３１をピン状となし光源カバー４に設けられた孔４４に差し込み光源カバーと係合させることができる。この係止具３１は同時に設置固定部材２に設けられている光源カバー固定部材の係止具２１に係合することができるので、光源カバー４の端部が光源カバー固定部材３と設置固定部材２との間に挟まれる形態で強固に固定されることとなる。
【００２７】
図１１には、光源カバー固定部材３に光源カバー４を取り付けた状態を示した。光源カバーに設けられた複数の係止用孔４４には、光源カバー固定部材３の対応する係止具３１（ピン）が挿入されて両者は係止される。光源カバー４を取り付けた光源カバー固定部材３を設置固定部材２に取り付ける作業は、剛性のない光源カバー４を手に持って行わなければならないことから、非常に不安定で困難な作業であることであることが判明した。その解決策として、光源カバー固定部材３と設置固定部材２を簡便に設定位置に仮止めすることができるような部材を設けることが好ましい。そのために、光源カバー固定部材３にはギボシ形状の孔を複数設けて位置合せ雌具３２とし、設置固定部材２のこれに対応する位置にはギボシ状孔に挿入されるピンを設けて位置合せ雄具２２とし、両部材３２，２２により取り付けを容易となした。この構造は、地震などの揺れによる捕虫器の落下を防止する手段ともなる。
さらに、光源カバー固定部材３にはマグネットを埋め込み、設置固定部材２にマグネットの力で密着して取り付けられるようにして強い振動などにより脱落を防止することができる。また、光源カバー固定部材３には、捕虫器節固定部材２を木ネジなどで固定した場合の木ネジの頭部を逃がす孔３３を設けることができる。
【００２８】
[光源カバー設置確認センサー]
光源カバー設置センサーが設置固定部材２の光源カバー固定部材係止具２１のいずれかのひとつの背面に取り付けられる。このセンサーは、光源カバー固定部材３の光源カバー係止具３１が、設置固定部材２にある光源カバー固定部材係止具２１に正しく取り付けられていることを感知することを目的とするものであり、例えば、ピン状の光源カバー係止具３１が正しく光源カバー固定部材係止具２１の孔に挿入されていることを認識する。センサーが正しく挿入されていることを感知しない場合には捕虫器は稼働しない仕組とする。光源カバー４は定期的に交換することで衛生状態を良好に保つことができるが、交換作業は交換する人の個人差が生じ易く、正しく取り付けられずに落下する恐れがあり、地震などによって落下する確率はさらに高まる。このセンサーは個人差を生じず光源カバーが正しく取り付けられるように安全性を高める役割がある。
【００２９】
[設置固定部材、ＬＥＤ光源部、光源カバー、光源カバー固定部材の配置など]
図４には、設置固定部材２にＬＥＤ光源部１を取り付けた状態を示し、例えば、白い矢印で示した孔２１は光源カバー固定部材３との係合に使用され、黒い矢印で示したピン２２は光源カバー固定部材３との位置決めに使用され、孔２３は捕虫器自体の壁などへの設置のための木ネジ用に使用される。
ＬＥＤ光源部１は設置固定部材２に固定され、ＬＥＤ光源部１からの光線が直接人の眼にはいらないように上部に設置される。図１２は図５に示した光源カバーを使用した捕虫器を斜め上から観察した図であって上方に広い開口部が見える。視点の位置を変えると図１３または図１４のごとき外観となる。通常、捕虫器の上方開口部は人の目線よりも高い位置に設置されるから、ＬＥＤの光や捕獲された虫の残骸が直接目視されることは避けられる。図１３に示した具体例では、光源カバー固定部材３は三角形状をなしているが、同じ形の固定具３を利用して図１４の丸みを帯びた形状の光源カバー４１や、図１５の角形状の光源カバー４２などの異なる形状のものを取り付けることができる。このとき光電カバー４の展開図は、図７、図８の形状の一枚のシートからなる。また、図２に示したような四角錐形状の光源カバーを取り付けることができる。
【００３０】
[制御部]
本発明の捕虫器のＬＥＤ光源部には制御部を付属させて、外界の明暗に応じたＬＥＤ照明の条件となすことにより捕虫効果を向上させることができる。制御部は、通常、ＬＥＤ光源部に一体として組み込まれ、室内などの外界の明暗を検知するには別に明暗センサー（図示なし）が適宜位置に設けられている。例えば、飲食店などで閉店後に消灯した室内では、明暗センサーの検知により制御部がＬＥＤを自動的に制御して捕虫能力を環境に適応した条件に設定することができる。例えば、消灯された暗い室内では、ＬＥＤ光源の発光が点滅する間隔を長くなるように制御するとより高い誘引効果が発揮される。
【００３１】
[捕虫器の設置例]
図２には、本発明の捕虫器を喫茶店などの屋内に設置した例を示す。捕虫器は四角錐形状をして人の目線よりもかなり上に、例えば、最上端部が床より約２ｍｍの位置に設置されている。開口部が目線より高く設置されているので、ＬＥＤ光源や捕獲された虫が直接目視されることはない。この捕虫器は、一見、間接照明器具であるかのように判断される。
【００３２】
[発熱試験例]
蛍光灯とＬＥＤランプの発熱による周囲の温度上昇を測定したところ、ＬＥＤランプを使用することによりランプの周囲の部材として紙などの熱に弱い材質が使用可能であることが判明した。以下に、試験について説明する。
アクリル製の容器（６５０×３００×１１５ｍｍ）内に、紫外線照射するＬＥＤランプを３０個、可視光を照射するＬＥＤランプを２０個実装するＬＥＤ光源を収納し密閉した。また、同じ大きさの容器内に蛍光灯（東芝ライテックの捕虫用蛍光ランプＦＬ２０Ｓ−ＢＬ−Ａ）を密閉状態となし、それぞれの中央部に光源より２０ｍｍ離れた位置に取り付けた熱電対により温度の変化を測定した。
その測定した実測値を表１に示す。図１６には周囲温度が２５℃とした場合に換算して温度変化を示した。周囲温度（２５℃）に換算すると、飽和温度は蛍光灯では４５．８℃、ＬＥＤランプでは３２．９℃となり、ＬＥＤランプが約１３℃低いことが判明した。したがって、室温が４０℃に達したならば、蛍光灯では約６０℃の高温に達することが予想される。
【００３３】
【表１】
2012239443.tif 000003
【００３４】
以上に説明した本発明の実施形態に係る捕虫器によれば、光源の寿命が例えば４〜５倍に伸びること、消費電力が削減することなどによるコスト低減効果が期待できる。
【産業上の利用可能性】
【００３５】
本発明の捕虫器は飛来する害虫を捕獲することを目的とするものであり光に誘引される虫の習性を利用して捕獲する仕組みとなし、食品類を提供するレストランなどの店舗、食品の製造工場などの室内に設置する捕虫器として利用するに適している。日本国内においても南方に行くほど昆虫類の活動は活発になり室内に飛来する昆虫類による被害は大きくなっている。例えば、鹿児島の郊外型レストランの周辺は田んぼに囲まれ、夏には大量に発生した昆虫が店内に侵入するため捕虫器の設置は必須の機器である。本発明の捕虫器は、捕虫率に優れると共に一見するとオシャレな間接照明と間違うばかりの外観を有し、郊外型のレストランなどに最適な外観および性能を有している。また、ＬＥＤランプを使用しているため長寿命であり、使用電力が少ないため、消費エネルギーの低減にも寄与するものであり、産業上に寄与するところは大きいものがある。
【符号の説明】
【００３６】
１：ＬＥＤ光源部
１１：ＬＥＤランプ
１２：ＬＥＤ電源制御部
２：設置固定部材
２１：光源カバー固定部材係止具
２２：位置合せ雄具（ピン）
２３：捕虫器固定具（孔）
３：光源カバー固定部材
３１：光源カバー係止具
３２：位置合せ雌具（孔）
３３：木ネジ頭逃し孔
４：光源カバー
４１：丸形光源カバー
４２：角形光源カバー
４３：平面に展開した光源カバー
４４：係止用孔
【図１】
2012239443.tif 000004
【図２】
2012239443.tif 000005
【図３】
2012239443.tif 000006
【図４】
2012239443.tif 000007
【図５】
2012239443.tif 000008
【図６】
2012239443.tif 000009
【図７】
2012239443.tif 000010
【図８】
2012239443.tif 000011
【図９】
2012239443.tif 000012
【図１０】
2012239443.tif 000013
【図１１】
2012239443.tif 000014
【図１２】
2012239443.tif 000015
【図１３】
2012239443.tif 000016
【図１４】
2012239443.tif 000017
【図１５】
2012239443.tif 000018
【図１６】
2012239443.tif 000019